(57)【要約】  ＣｏＭＰ送信時に適切な受信品質を算出可能なチャネル状態情報をフィードバックすること。複数の無線基地局装置と、前記複数の無線基地局装置と通信可能に構成されたユーザ端末と、を備えた無線通信システムであって、無線基地局装置（ｅＮＢ）は、チャネル状態測定用の参照信号をユーザ端末（ＵＥ）に対して送信する送信部と、ユーザ端末（ＵＥ）で参照信号に基づいて生成されたチャネル状態情報を受信する受信部と、を備え、ユーザ端末（ＵＥ）は、複数の無線基地局装置が協調して送信を行う場合に協調セルからの干渉が除去されたチャネル状態情報を含む複数のチャネル状態情報を生成可能なチャネル状態情報生成部と、複数のチャネル状態情報を前記無線基地局装置に送信する送信部と、を備えたことを特徴とする。
2013051510.tif 000002
【特許請求の範囲】
【請求項１】
複数の無線基地局装置と、前記複数の無線基地局装置と通信可能に構成されたユーザ端末と、を備えた無線通信システムであって、
前記無線基地局装置は、チャネル状態測定用の参照信号を前記ユーザ端末に対して送信する送信部と、前記ユーザ端末で前記参照信号に基づいて生成されたチャネル状態情報を受信する受信部と、を備え、
前記ユーザ端末は、前記複数の無線基地局装置が協調して送信を行う場合に協調セルからの干渉が除去されたチャネル状態情報を含む複数のチャネル状態情報を生成可能なチャネル状態情報生成部と、前記複数のチャネル状態情報を前記無線基地局装置に送信する送信部と、を備えたことを特徴とする無線通信システム。
【請求項２】
前記チャネル状態情報生成部は、前記複数の無線基地局装置が協調して送信を行う場合にサービングセルからの干渉が除去されたチャネル状態情報を生成することを特徴とする請求項１記載の無線通信システム。
【請求項３】
前記無線基地局装置は、他セルのチャネル状態測定用の参照信号が割り当てられる無線リソースに対応する自セルの無線リソースの送信電力を無送信電力に設定するマッピング部を更に備えることを特徴とする請求項１又は請求項２記載の無線通信システム。
【請求項４】
前記チャネル状態情報生成部は、サービングセルからの信号受信成分をＳ１、協調セルからの信号受信成分をＳ２、サービングセル及び協調セル以外のセルからの干渉成分をＩ、ノイズ成分をＮとして下記式（５）、（６）で求められるチャネル状態情報を生成することを特徴とする請求項２記載の無線通信システム。
【数１】
2013051510.tif 000027
【数２】
2013051510.tif 000028
【請求項５】
前記チャネル状態情報生成部は、サービングセルからの信号受信成分をＳ１、協調セルからの信号受信成分をＳ２、サービングセル及び協調セル以外のセルからの干渉成分をＩ、ノイズ成分をＮとして下記式（１０）、（１１）で求められるチャネル状態情報を生成することを特徴とする請求項１記載の無線通信システム。
【数３】
2013051510.tif 000029
【数４】
2013051510.tif 000030
【請求項６】
前記チャネル状態情報生成部は、サービングセルから信号受信成分と協調セルからの信号受信成分との比で表されるチャネル状態情報を生成することを特徴とする請求項１記載の無線通信システム。
【請求項７】
前記チャネル状態情報生成部は、サービングセルからの信号受信成分をＳ１、協調セルからの信号受信成分をＳ２、サービングセル及び協調セル以外のセルからの干渉成分をＩ、ノイズ成分をＮとして下記式（１５）、（１６）で求められるチャネル状態情報を生成することを特徴とする請求項６記載の無線通信システム。
【数５】
2013051510.tif 000031
【数６】
2013051510.tif 000032
【請求項８】
複数の無線基地局装置と、前記複数の無線基地局装置と通信可能に構成されたユーザ端末と、を備えた無線通信システムであって、
前記無線基地局装置は、チャネル状態測定用の参照信号を前記ユーザ端末に対して送信する送信部と、前記ユーザ端末で前記参照信号に基づいて生成されたチャネル状態情報を受信する受信部と、を備え、
前記ユーザ端末は、前記複数の無線基地局装置が協調して送信を行う場合にサービングセルからの信号受信成分と協調セルからの信号受信成分との比で表されるチャネル状態情報を含む複数のチャネル状態情報を生成可能なチャネル状態情報生成部と、前記複数のチャネル状態情報を前記無線基地局装置に送信する送信部と、を備えたことを特徴とする無線通信システム。
【請求項９】
前記チャネル状態情報生成部は、サービングセルからの信号受信成分をＳ１、協調セルからの信号受信成分をＳ２、サービングセル及び協調セル以外のセルからの干渉成分をＩ、ノイズ成分をＮとして下記式（２０）、（２１）で求められるチャネル状態情報を生成することを特徴とする請求項８記載の無線通信システム。
【数７】
2013051510.tif 000033
【数８】
2013051510.tif 000034
【請求項１０】
前記チャネル状態情報生成部は、サービングセルからの信号受信成分をＳ１、協調セルからの信号受信成分をＳ２、前記サービングセル及び協調セル以外のセルからの干渉成分をＩ、ノイズ成分をＮとして、前記複数の無線基地局装置が協調して送信を行わない場合に下記式（１）、（２）で求められるチャネル状態情報を生成することを特徴とする請求項１又は請求項８記載の無線通信システム。
【数９】
2013051510.tif 000035
【数１０】
2013051510.tif 000036
【請求項１１】
前記チャネル状態情報生成部は、前記複数の無線基地局装置が協調して送信を行うか否かを通知する上位制御信号に基づいて生成するチャネル状態情報を切り替えることを特徴とする請求項１０記載の無線通信システム。
【請求項１２】
前記複数のチャネル状態情報は、上りデータチャネルで送信されることを特徴とする請求項１又は請求項８記載の無線通信システム。
【請求項１３】
前記複数のチャネル状態情報は、上り制御チャネルで送信されることを特徴とする請求項１又は請求項８記載の無線通信システム。
【請求項１４】
前記複数のチャネル状態情報は、同一のサブフレームで送信されることを特徴とする請求項１３記載の無線通信システム。
【請求項１５】
前記複数のチャネル状態情報は、異なるサブフレームで送信されることを特徴とする請求項１３記載の無線通信システム。
【請求項１６】
前記複数のチャネル状態情報は、同一の周期で送信されることを特徴とする請求項１又は請求項８記載の無線通信システム。
【請求項１７】
前記複数のチャネル状態情報は、異なる周期で送信されることを特徴とする請求項１又は請求項８記載の無線通信システム。
【請求項１８】
複数の無線基地局装置が協調して送信を行う場合におけるユーザ端末からのチャネル状態情報のフィードバック方法であって、
前記無線基地局装置が、チャネル状態測定用の参照信号を前記ユーザ端末に対して送信するステップと、
前記ユーザ端末が、前記無線基地局装置から送信される参照信号に基づいて協調セルからの干渉が除去されたチャネル状態情報を含む複数のチャネル状態情報を生成するステップと、
前記ユーザ端末が、前記複数のチャネル状態情報を前記無線基地局装置に送信するステップと、
を備えたことを特徴とするフィードバック方法。
【請求項１９】
複数の無線基地局装置と通信可能に構成されたユーザ端末であって、
前記無線基地局装置からチャネル状態測定用の参照信号を受信する受信部と、
前記複数の無線基地局装置が協調して送信を行う場合に前記参照信号に基づいて協調セルからの干渉が除去されたチャネル状態情報を含む複数のチャネル状態情報を生成可能なチャネル状態情報生成部と、
前記複数のチャネル状態情報を前記無線基地局装置に送信する送信部と、
を備えたことを特徴とするユーザ端末。
【請求項２０】
ユーザ端末に対して他の無線基地局装置と協調送信可能に構成された無線基地局装置であって、
チャネル状態測定用の参照信号を前記ユーザ端末に対して送信する送信部と、
前記他の無線基地局装置と協調して送信を行う場合に、前記参照信号に基づいて生成され、協調セルからの干渉が除去されたチャネル状態情報を含む複数のチャネル状態情報を前記ユーザ端末から受信する受信部と、
を備えたことを特徴とする無線基地局装置。
【発明の詳細な説明】
【技術分野】
【０００１】
本発明は、セルラーシステム等に適用可能な無線通信システム、フィードバック方法、ユーザ端末、及び無線基地局装置に関する。
【背景技術】
【０００２】
ＵＭＴＳ（Universal  Mobile  Telecommunications  System）ネットワークにおいては、周波数利用効率の向上、データレートの向上を目的として、ＨＳＤＰＡ（High  Speed  Downlink  Packet  Access）やＨＳＵＰＡ（High  Speed  Uplink  Packet  Access）を採用することにより、Ｗ−ＣＤＭＡ（Wideband‐Code  Division  Multiple  Access）をベースとしたシステムの特徴を最大限に引き出すことが行われている。このＵＭＴＳネットワークについては、更なる高速データレート、低遅延などを目的としてＬＴＥ（Long  Term  Evolution）が検討されている（非特許文献１）。【０００３】
第３世代のシステムは、概して５ＭＨｚの固定帯域を用いて、下り回線で最大２Ｍｂｐｓ程度の伝送レートを実現できる。一方、ＬＴＥのシステムでは、１．４ＭＨｚ〜２０ＭＨｚの可変帯域を用いて、下り回線で最大３００Ｍｂｐｓ及び上り回線で７５Ｍｂｐｓ程度の伝送レートを実現できる。また、ＵＭＴＳネットワークにおいては、更なる広帯域化及び高速化を目的として、ＬＴＥの後継のシステムも検討されている（例えば、ＬＴＥアドバンスト（ＬＴＥ−Ａ））。
【先行技術文献】
【非特許文献】
【０００４】
【非特許文献１】3GPP,  TR25.912  (V7.1.0),  "Feasibility  study  for  Evolved  UTRA  and  UTRAN",  Sept.  2006
【発明の概要】
【発明が解決しようとする課題】
【０００５】
ところで、ＬＴＥシステムに対してさらにシステム性能を向上させるための有望な技術の一つとして、セル間直交化がある。例えば、ＬＴＥ−Ａシステムでは、上下リンクとも直交マルチアクセスによりセル内の直交化が実現されている。すなわち、下りリンクでは、周波数領域においてユーザ端末ＵＥ（User  Equipment）間で直交化されている。一方、セル間はＷ−ＣＤＭＡと同様、１セル周波数繰り返しによる干渉ランダム化が基本である。【０００６】
そこで、３ＧＰＰ（３rd  Generation  Partnership  Project）では、セル間直交化を実現するための技術として、協調マルチポイント送受信（ＣｏＭＰ：Coordinated  MultiPoint  transmission/reception）が検討されている。このＣｏＭＰ送受信では、１つあるいは複数のユーザ端末ＵＥに対して複数のセルが協調して送受信の信号処理を行う。例えば、下りリンクでは、プリコーディングを適用する複数セル同時送信、協調スケジューリング／ビームフォーミングなどが検討されている。これらのＣｏＭＰ送受信技術の適用により、特にセル端に位置するユーザ端末ＵＥのスループット特性の改善が期待される。【０００７】
ＣｏＭＰ送受信が適用される場合においては、複数のセルに配置された無線基地局装置が協調してデータ送信を行うことから、ユーザ端末ＵＥには、ＣｏＭＰ送信時に適切な受信品質を算出可能なチャネル状態情報をフィードバックすることが求められる。【０００８】
本発明はかかる点に鑑みてなされたものであり、ＣｏＭＰ送信時に適切な受信品質を算出可能なチャネル状態情報をフィードバックできる無線通信システム、フィードバック方法、ユーザ端末及び無線基地局装置を提供することを目的とする。
【課題を解決するための手段】
【０００９】
本発明の無線通信システムは、複数の無線基地局装置と、前記複数の無線基地局装置と通信可能に構成されたユーザ端末と、を備えた無線通信システムであって、前記無線基地局装置は、チャネル状態測定用の参照信号を前記ユーザ端末に対して送信する送信部と、前記ユーザ端末で前記参照信号に基づいて生成されたチャネル状態情報を受信する受信部と、を備え、前記ユーザ端末は、前記複数の無線基地局装置が協調して送信を行う場合に協調セルからの干渉が除去されたチャネル状態情報を含む複数のチャネル状態情報を生成可能なチャネル状態情報生成部と、前記複数のチャネル状態情報を前記無線基地局装置に送信する送信部と、を備えたことを特徴とする。【００１０】
本発明のフィードバック方法は、複数の無線基地局装置が協調して送信を行う場合におけるユーザ端末からのチャネル状態情報のフィードバック方法であって、前記無線基地局装置が、チャネル状態測定用の参照信号を前記ユーザ端末に対して送信するステップと、前記ユーザ端末が、前記無線基地局装置から送信される参照信号に基づいて協調セルからの干渉が除去されたチャネル状態情報を含む複数のチャネル状態情報を生成するステップと、前記ユーザ端末が、前記複数のチャネル状態情報を前記無線基地局装置に送信するステップと、を備えたことを特徴とする。【００１１】
本発明のユーザ端末は、複数の無線基地局装置と通信可能に構成されたユーザ端末であって、前記無線基地局装置からチャネル状態測定用の参照信号を受信する受信部と、前記複数の無線基地局装置が協調して送信を行う場合に前記参照信号に基づいて協調セルからの干渉が除去されたチャネル状態情報を含む複数のチャネル状態情報を生成可能なチャネル状態情報生成部と、前記複数のチャネル状態情報を前記無線基地局装置に送信する送信部と、を備えたことを特徴とする。【００１２】
本発明の無線基地局装置は、ユーザ端末に対して他の無線基地局装置と協調送信可能に構成された無線基地局装置であって、チャネル状態測定用の参照信号を前記ユーザ端末に対して送信する送信部と、前記他の無線基地局装置と協調して送信を行う場合に、前記参照信号に基づいて生成され、協調セルからの干渉が除去されたチャネル状態情報を含む複数のチャネル状態情報を前記ユーザ端末から受信する受信部と、を備えたことを特徴とする。
【発明の効果】
【００１３】
本発明によれば、ＣｏＭＰ送信時に適切な受信品質を算出可能なチャネル状態情報をフィードバックできる。
【図面の簡単な説明】
【００１４】
【図１】協調マルチポイント送信を説明するための図である。
【図２】協調マルチポイント送受信に適用される無線基地局装置の構成を示す模式図である。
【図３】ユーザ端末におけるＣＱＩの生成方法について説明するための模式図である。
【図４】リソースブロックにおけるＣＳＩ−ＲＳの割り当てパターンを説明するための図である。
【図５】ＣＳＩ−ＲＳを用いたＣＱＩ測定におけるミューティングを説明するための図である。
【図６】上りリンクにおける無線リソースを説明するための図である。
【図７】上りリンクにおけるＣＱＩの送信タイミングを示す模式図である。
【図８】無線通信システムのシステム構成を説明するための図である。
【図９】無線基地局装置の全体構成を示すブロック図である。
【図１０】ユーザ端末の全体構成を示すブロック図である。
【図１１】集中制御型の無線基地局装置のベースバンド処理部の構成を示すブロック図である。
【図１２】自律分散制御型の無線基地局装置のベースバンド処理部の構成を示すブロック図である。
【図１３】ユーザ端末におけるベースバンド信号処理部の構成を示すブロック図である。
【発明を実施するための形態】
【００１５】
以下、本発明の実施の形態について、添付図面を参照して詳細に説明する。
【００１６】
まず、図１を用いて下りリンクのＣｏＭＰ送信について説明する。下りリンクのＣｏＭＰ送信としては、Coordinated  Scheduling/Coordinated  Beamforming（以下、「ＣＳ／ＣＢ」という）と、Joint  processingとがある。ＣＳ／ＣＢは、１つのユーザ端末ＵＥに対して１つのセルからのみ送信する方法であり、図１Ａに示すように、他セルからの干渉や他セルへの干渉を考慮して周波数／空間領域における無線リソースの割り当てを行う。一方、Joint  processingは、プリコーディングを適用して複数のセルから同時に送信する方法であり、図１Ｂに示すように、１つのユーザ端末ＵＥに対して複数のセルから送信するJoint  transmissionと、図１Ｃに示すように、瞬時にセルを選択するDynamic  Cell  Selectionとがある。
【００１７】
ＣｏＭＰ送受信を実現する構成としては、例えば、図２Ａに示すように、無線基地局装置（無線基地局装置ｅＮＢ）に対して光ファイバ等で接続された複数の遠隔無線装置（ＲＲＥ：Remote  Radio  Equipment）とを含む構成（ＲＲＥ構成に基づく集中制御）と、図２Ｂに示すように、無線基地局装置（無線基地局装置ｅＮＢ）の構成（独立基地局構成に基づく自律分散制御）とがある。なお、図２Ａにおいては、複数の遠隔無線装置ＲＲＥを含む構成を示すが、図１に示すように、単一の遠隔無線装置ＲＲＥのみを含む構成としてもよい。
【００１８】
図２Ａに示す構成（ＲＲＥ構成）においては、遠隔無線装置ＲＲＥ１、ＲＲＥ２を無線基地局装置ｅＮＢで集中的に制御する。ＲＲＥ構成では、複数の遠隔無線装置ＲＲＥのベースバンド信号処理及び制御を行う無線基地局装置ｅＮＢ（集中基地局）と各セル（すなわち、各遠隔無線装置ＲＲＥ）との間が光ファイバを用いたベースバンド信号で接続されるため、セル間の無線リソース制御を集中基地局において一括して行うことができる。すなわち、独立基地局構成で問題となる無線基地局装置ｅＮＢ間のシグナリングの遅延やオーバヘッドの問題が小さく、セル間の高速な無線リソース制御が比較的容易となる。したがって、ＲＲＥ構成においては、下りリンクでは、複数セル同時送信のような高速なセル間の信号処理を用いる方法が適用できる。
【００１９】
一方、図２Ｂに示す構成（独立基地局構成）においては、複数の無線基地局装置ｅＮＢ（又はＲＲＥ）でそれぞれスケジューリングなどの無線リソース割り当て制御を行う。この場合においては、セル１の無線基地局装置ｅＮＢとセル２の無線基地局装置ｅＮＢとの間のＸ２インターフェースで必要に応じてタイミング情報やスケジューリングなどの無線リソース割り当て情報をいずれかの無線基地局装置ｅＮＢに送信して、セル間の協調を行う。
【００２０】
図１Ａに示すＣｏＭＰ送信（ＣＳ／ＣＢ）において、ユーザ端末ＵＥは、無線基地局装置ｅＮＢから送信される参照信号（ＣＳＩ−ＲＳ：Channel  State  Information−Reference  Signal）に基づいてチャネル品質を測定し、チャネル品質情報（ＣＱＩ：Channel  Quality  Indicator）を生成する。より具体的には、ＣＳＩ−ＲＳに基づいてＳＩＮＲ（Signal  to  Interference  and  Noise  Ratio）を算出し、算出したＳＩＮＲに応じたＣＱＩを選択する。選択されたＣＱＩは、上りリンクで無線基地局装置ｅＮＢにフィードバックされる。無線基地局装置ｅＮＢは、ユーザ端末ＵＥからフィードバックされたＣＱＩに基づいてＳＩＮＲを算出し、例えば、データ送信の変調方式及び符号化率の決定やスケジューリング制御を行う。
【００２１】
上述したデータ送信の変調方式及び符号化率の決定、スケジューリング制御には、例えば、ユーザ端末ＵＥからフィードバックされたＣＱＩから算出されるＳＩＮＲが用いられる。ここで、ユーザ端末ＵＥからフィードバックされるＣＱＩの生成方法について説明する。図３は、ユーザ端末ＵＥにおけるＣＱＩの生成方法について説明するための模式図である。なお、図３ではＲＲＥ構成について示しているが、独立基地局構成の場合も同様である。
【００２２】
ＣｏＭＰ送受信技術が適用されないＬＴＥ方式のシステム（ＬＴＥシステム）において、セル１の受信レベルに関するＳＩＮＲ（＝ＦＢ１）及びセル２の受信レベルに関するＳＩＮＲ（＝ＦＢ２）は、それぞれ下記式（１）、（２）により求められる。なお、式中、「Ｓ１」はセル１（無線基地局装置ｅＮＢ）からの信号受信成分（電力）を表し、「Ｓ２」はセル２（遠隔無線装置ＲＲＥ）からの信号受信成分（電力）を表し、「Ｉ」はセル１及びセル２以外のセルからの干渉成分（電力）を表し、「Ｎ」はノイズ成分（電力）を表す。式（１）、（２）により求められるＳＩＮＲは、ＣＱＩとして無線基地局装置ｅＮＢにフィードバックされる。
【数１】
2013051510.tif 000003
【数２】
2013051510.tif 000004
【００２３】
一方、ＣｏＭＰ送信（ＣＳ／ＣＢ）が適用される場合、それぞれのセルのＳＩＮＲは、無線基地局装置ｅＮＢ及び遠隔無線装置ＲＲＥにおいて信号受信成分Ｓ１、Ｓ２にそれぞれ乗算される送信ウェイトを考慮して算出することが必要である。例えば、ＣＳ（Coordinated  Scheduling）が適用される場合のセル１の受信レベルに関するＳＩＮＲは、無線基地局装置ｅＮＢにおいて下記式（３）により求めることが必要である。また、ＣＢ（Coordinated  Beamforming）が適用される場合のセル１の受信レベルに関するＳＩＮＲは、無線基地局装置ｅＮＢにおいて下記式（４）により求めることが必要である。なお、式中、「ｗ１」は、セル１からの信号がユーザ端末ＵＥにおいて信号受信成分Ｓ１で受信されるように無線基地局装置ｅＮＢにおいて乗算された送信ウェイトを表し、「ｗ２」は、セル２からの信号がユーザ端末ＵＥにおいて信号受信成分Ｓ２で受信されるように無線基地局装置ｅＮＢにおいて乗算された送信ウェイトを表す。すなわち、「ｗ１Ｓ１」は、ユーザ端末ＵＥにおいて信号受信成分Ｓ１で受信されることを想定してセル１から送信される信号送信成分に相当し、「ｗ２Ｓ２」は、ユーザ端末ＵＥにおいて信号受信成分Ｓ２で受信されることを想定してセル２から送信される信号送信成分に相当する。セル２の受信レベルに関するＳＩＮＲも式（３）、（４）と同等の式により求められる。
【数３】
2013051510.tif 000005
【数４】
2013051510.tif 000006
【００２４】
上述したように、ＬＴＥシステムでは、式（１）、（２）により求められるＳＩＮＲがＣＱＩとしてフィードバックされるようになっている。基地局装置ｅＮＢは、これらのＣＱＩに基づいてＳＩＮＲを算出する。しかし、ＣｏＭＰ送信（ＣＳ／ＣＢ）が適用される場合には、式（３）、（４）に示すように、セル１及びセル２からの信号受信成分Ｓ１及びＳ２にそれぞれ乗算される送信ウェイトｗ１及びｗ２を考慮する必要があるため、式（１）、（２）に基づいてフィードバックされるＣＱＩのみでは正確にＳＩＮＲを算出することができない。このため、ＬＴＥシステムにおけるＣＱＩのフィードバック方法を適用すると、無線基地局装置ｅＮＢは、ＣｏＭＰ送信（ＣＳ／ＣＢ）が適用される場合に適切なＳＩＮＲを算出することができず、下り送信制御を適切に行うことができないという問題があった。
【００２５】
本発明者らはこの点に着目し、ＣｏＭＰ送信（ＣＳ／ＣＢ）が適用される場合において、適切なＳＩＮＲを算出可能なフィードバック情報を無線基地局装置ｅＮＢが取得することで、適切な下り送信制御が可能になることを見出して本発明を完成させた。
【００２６】
すなわち、本発明の骨子は、ＣｏＭＰ送信（ＣＳ／ＣＢ）が適用される場合において、無線基地局装置ｅＮＢが適切な受信品質を算出可能なチャネル状態情報をユーザ端末ＵＥがフィードバックすることにある。以下、図３に示すネットワーク構成を参照しながら、具体的な態様について説明する。
【００２７】
（第１の態様）
第１の態様に係るフィードバック方法では、ＣｏＭＰ送信を行うセル間の干渉を除去された状態において、サービングセル（図３に示すセル１）及び協調セル（図３に示すセル２）の双方の受信レベルに関するＣＱＩをフィードバックする。本態様に係るフィードバック方法において、ＣＱＩであるフィードバック情報は、下記式（５）、（６）で定義される。本態様に係るフィードバック方法では、ＬＴＥ−Ａ方式のシステム（ＬＴＥ−Ａシステム）で検討されているミューティング（ゼロパワートランスミッション、ゼロパワー送信）を適用してサービングセル、又は協調セルの干渉を除去する。
【数５】
2013051510.tif 000007
【数６】
2013051510.tif 000008
【００２８】
ＣｏＭＰ送信を行うセル間の干渉除去に用いられるミューティングについて説明する前に、ＬＴＥ−Ａシステムの下りリンクで検討されているＣＳＩ−ＲＳについて説明する。ＣＳＩ−ＲＳは、ＣＱＩ、ＰＭＩ（Precoding  Matrix  Indicator）、ＲＩ（Rank  Indicator）などのチャネル状態の測定（ＣＳＩ測定）に用いられる参照信号である。ＣＳＩ−ＲＳは、全てのサブフレームに割り当てられるＣＲＳ（Cell−specific  Reference  Signal）と異なり、所定の周期、例えば１０サブフレーム周期で割り当てられる。また、ＣＳＩ−ＲＳは、位置、系列及び送信電力というパラメータで特定される。ＣＳＩ−ＲＳの位置には、サブフレームオフセット、周期、サブキャリア−シンボルオフセット（インデックス）が含まれる。
【００２９】
ＣＳＩ−ＲＳは、ＬＴＥで規定される１リソースブロックにおいて、ＰＤＣＣＨ（Physical  Downlink  Control  Channel）信号などの制御信号、ＰＤＳＣＨ（Physical  Downlink  Shared  Channel）信号などのユーザデータ、ＣＲＳやＤＭ−ＲＳ（DeModulation−Reference  Signal）などの他の参照信号と重ならないように割り当てられる。１リソースブロックは、周波数方向に連続する１２サブキャリアと、時間軸方向に連続する１４シンボルとで構成される。ＰＡＰＲ（Peak−to−Average  Power  Ratio）を抑制する観点から、ＣＳＩ−ＲＳを送信可能なリソースは、時間軸方向に隣接する２つのリソースエレメントがセットで割り当てられる。
【００３０】
図４に示されるＣＳＩ−ＲＳ構成では、ＣＳＩ−ＲＳ用リソース（参照信号用リソース）として４０リソースエレメントが確保されている。この４０リソースエレメントには、ＣＳＩ−ＲＳポート数（アンテナ数）に応じてＣＳＩ−ＲＳパターン（ＣＳＩ  Configuration）が設定される。各ＣＳＩ−ＲＳパターンでは、１つのＣＳＩ−ＲＳポートにつき、１つのリソースエレメントがＣＳＩ−ＲＳ用に割り当てられる。ＣＳＩ−ＲＳポート数が２の場合、４０リソースエレメントの中の２つのリソースエレメントにＣＳＩ−ＲＳが割り当てられる。割り当てパターンとしては、例えば、図４Ａに示される２０パターン（インデックス＃０−＃１９）のうちのいずれかが選択される。
【００３１】
ＣＳＩ−ＲＳポート数が４の場合、４０リソースエレメントの中の４つのリソースエレメントにＣＳＩ−ＲＳが割り当てられる。割り当てパターンとしては、例えば、図４Ｂに示される１０パターン（インデックス＃０−＃９）のうちのいずれかが選択される。ＣＳＩ−ＲＳポート数が８の場合、４０リソースエレメントの中の８つのリソースエレメントにＣＳＩ−ＲＳが割り当てられる。割り当てパターンとしては、例えば、図４Ｃに示される５パターン（インデックス＃０−＃４）のうちのいずれかが選択される。なお、ＣＳＩ−ＲＳパターンにおいて、ＣＳＩ−ＲＳが割り当てられなかったリソースエレメントには、ユーザデータが割り当てられる。そして、ＣＳＩ−ＲＳは、セル毎に異なるＣＳＩ−ＲＳパターンが選択されることで、セル間での干渉が抑えられている。
【００３２】
ところで、ＣＳＩ−ＲＳを用いたＣＳＩ測定においては、他セルからのデータ干渉により測定精度が劣化する場合がある。例えば、図５Ａに示す場合においては、セル１（サービングセル）の下りリンクのリソースブロックに、セル２（協調セル）のＣＳＩ−ＲＳに対応してユーザデータが割り当てられている。また、セル２の下りリンクのリソースブロックに、セル１のＣＳＩ−ＲＳに対応してユーザデータが割り当てられている。これらユーザデータは、各セルにおけるＣＳＩ−ＲＳの干渉成分となり、特に、セル１とセル２との境界付近に位置するユーザ端末ＵＥのＣＱＩ測定精度を劣化させる要因となる。
【００３３】
ユーザデータの割り当て位置に起因するＣＱＩ測定精度の劣化を改善するため、ミューティングが検討されている。ミューティングにおいては、図５Ｂに示すように、他セルのＣＳＩ−ＲＳに対応するリソースにユーザデータが割り当てられない。具体的には、セル１の下りリンクのリソースブロックは、セル２のＣＳＩ−ＲＳに対応してミューティング（ゼロパワー送信）される。また、セル２の下りリンクのリソースブロックは、セル１のＣＳＩ−ＲＳに対応してミューティング（ゼロパワー送信）される。この構成により、他セルのユーザデータに起因するＣＳＩ−ＲＳの干渉成分を除去して、ユーザ端末ＵＥにおけるＣＱＩ測定精度を改善することができる。
【００３４】
本態様に係るフィードバック方法では、ＣＱＩ測定において、上述したミューティングを利用することでサービングセル、又は協調セルの干渉を除去し、式（５）、（６）で定義されるフィードバック情報を取得する。
【００３５】
具体的には、図５Ｂに示すように、セル２のリソースブロックにおいて、セル１のＣＳＩ−ＲＳに対応するリソースにミューティングリソースを設定し、対象リソースの送信パワーをゼロにする。これにより、サービングセルであるセル１のＣＱＩ測定において、協調セルであるセル２の干渉を排除することができる。つまり、セル２からの信号受信成分Ｓ２を含まない態様のフィードバック情報（式（５）で定義されるフィードバック情報）をセル１のＣＱＩとして取得できる。
【００３６】
また、図５Ｂに示すように、セル１のリソースブロックにおいて、セル２のＣＳＩ−ＲＳに対応するリソースにミューティングリソースを設定し、対象リソースの送信パワーをゼロにする。これにより、協調セルであるセル２のＣＱＩ測定において、サービングセルであるセル１の干渉を排除することができる。つまり、セル１からの信号受信成分Ｓ１を含まない態様のフィードバック情報（式（６）で定義されるフィードバック情報）をセル２のＣＱＩとして取得できる。
【００３７】
式（５）、（６）で規定されるフィードバック情報により、無線基地局装置ｅＮＢは、式（３）、（４）で表されるＳＩＮＲを算出できる。例えば、ＣＳが適用される場合のセル１の受信レベルに関するＳＩＮＲは、式（３）、（５）から、式（７）のように算出される。一方、ＣＢが適用される場合のセル１の受信レベルに関するＳＩＮＲは、式（４）、（５）、（６）から、式（８）のように算出される。なお、ＣｏＭＰ送信が適用されない場合、セル１の受信レベルに関するＳＩＮＲは、式（９）のように算出される。各セルの送信ウェイトを表すｗ１、ｗ２は、無線基地局装置ｅＮＢにおいて決定されるものであり、無線基地局装置ｅＮＢにとって既知である。
【数７】
2013051510.tif 000009
【数８】
2013051510.tif 000010
【数９】
2013051510.tif 000011
【００３８】
このように、式（５）、（６）で規定されるフィードバック情報を用いることで、ＣｏＭＰ送信（ＣＳ／ＣＢ）が適用される場合においても、無線基地局装置ｅＮＢで適切なＳＩＮＲを算出することが可能となる。
【００３９】
ユーザ端末ＵＥは、無線基地局装置ｅＮＢから通知される情報（例えば、ＣＳＩ−ＲＳ等の参照信号の多重位置や電力情報）に基づいてＣｏＭＰ送信用のフィードバック情報を計算できる。例えば、ユーザ端末ＵＥは、無線基地局装置ｅＮＢから、セル２の信号受信成分（Ｓ２）を考慮しなくて良いこと（つまり、信号受信成分Ｓ２を干渉成分に含めないこと）を通知されることで、式（５）のように、信号受信成分Ｓ２を除いた態様でフィードバック情報（ＣＱＩ）を計算できる。
【００４０】
なお、セル２の受信レベルに関するＳＩＮＲも式（５）、（６）を用いてセル１のＳＩＮＲと同様に算出できる。また、本態様に係るフィードバック方法において、式により表現されるフィードバック情報（ＣＱＩ）やＳＩＮＲは、各式の表記に限定されず、式変換等により実質的に等価なものをすべて含む。
【００４１】
（第２の態様）
第２の態様に係るフィードバック方法では、ＣｏＭＰ送信を行う一方のセルの干渉が除去された状態において、サービングセル（図３に示すセル１）のＣＱＩをフィードバックする。本態様に係るフィードバック方法において、フィードバック情報は下記式（１０）、（１１）で定義される。式（１０）のフィードバック情報は、ＣｏＭＰにおける協調セル（図３に示すセル２）の干渉の下で取得される。式（１１）のフィードバック情報は、ＣｏＭＰにおける協調セル（セル２）の干渉を除去することによって取得できる。
【数１０】
2013051510.tif 000012
【数１１】
2013051510.tif 000013
【００４２】
式（１０）により規定されるフィードバック情報は、ＬＴＥシステムで規定されるフィードバック情報と同じである（式（１）参照）。
【００４３】
式（１１）により規定されるフィードバック情報は、サービングセルであるセル１のＣＱＩ測定において、協調セルであるセル２の干渉を排除することで取得できる。具体的には、セル２のリソースブロックにおいて、セル１のＣＳＩ−ＲＳに対応するリソースにミューティングリソースを設定し、対象リソースの送信パワーをゼロにする。
【００４４】
式（１０）、（１１）で規定されるフィードバック情報により、無線基地局装置ｅＮＢは、式（３）、（４）で表されるＳＩＮＲを算出できる。例えば、ＣＳが適用される場合のセル１の受信レベルに関するＳＩＮＲは、式（３）、（１１）から、式（１２）のように算出される。一方、ＣＢが適用される場合のセル１の受信レベルに関するＳＩＮＲは、式（４）、（１０）、（１１）から、式（１３）のように算出される。なお、ＣｏＭＰ送信が適用されない場合、セル１の受信レベルに関するＳＩＮＲは、式（１４）のように算出される。各セルの送信ウェイトを表すｗ１、ｗ２は、無線基地局装置において決定されるものであり、無線基地局装置にとって既知である。
【数１２】
2013051510.tif 000014
【数１３】
2013051510.tif 000015
【数１４】
2013051510.tif 000016
【００４５】
このように、式（１０）、（１１）で規定されるフィードバック情報を用いることでＣｏＭＰ送信（ＣＳ／ＣＢ）が適用される場合においても、無線基地局装置ｅＮＢで適切なＳＩＮＲを算出することが可能となる。特に、本態様に係るフィードバック方法では、ＬＴＥシステムで規定されるフィードバック情報と共通する情報（式（１０））を用いるため、ＣＱＩ測定において必要となるＬＴＥシステムからの変更点を小さく抑えつつ、適切なＳＩＮＲを算出できる。
【００４６】
ユーザ端末ＵＥは、無線基地局装置ｅＮＢから通知される情報（例えば、ＣＳＩ−ＲＳ等の参照信号の多重位置や電力情報）に基づいてＣｏＭＰ送信用のフィードバック情報を計算できる。例えば、ユーザ端末ＵＥは、無線基地局装置ｅＮＢから、セル２の信号受信成分（Ｓ２）を考慮しなくて良いこと（つまり、信号受信成分Ｓ２を干渉成分に含めないこと）を通知されることで、式（１１）のように、信号受信成分Ｓ２を除いた態様でフィードバック情報（ＣＱＩ）を計算できる。
【００４７】
なお、セル２の受信レベルに関するＳＩＮＲもセル１のＳＩＮＲと同様に算出できる。また、本態様に係るフィードバック方法において、式を用いて表現されるフィードバック情報（ＣＱＩ）やＳＩＮＲなどは、各式の表記に限定されず、式変換等により実質的に等価なものをすべて含む。
【００４８】
（第３の態様）
第３の態様に係るフィードバック方法では、ＣｏＭＰ送信を行う一方のセルの干渉が除去された状態において、サービングセル（図３に示すセル１）のＣＱＩをフィードバックする。本態様に係るフィードバック方法において、フィードバック情報は下記式（１５）、（１６）で定義される。式（１５）のフィードバック情報は、ＣｏＭＰにおける協調セル（図３に示すセル２）の干渉を除去することによって取得できる。式（１６）のフィードバック情報は、ＣｏＭＰにおける協調セル（セル２）の干渉の下で取得される。
【数１５】
2013051510.tif 000017
【数１６】
2013051510.tif 000018
【００４９】
式（１５）により規定されるフィードバック情報は、サービングセルであるセル１のＣＱＩ測定において、協調セルであるセル２の干渉を排除することで取得できる。具体的には、セル２のリソースブロックにおいて、セル１のＣＳＩ−ＲＳに対応するリソースにミューティングリソースを設定し、対象リソースの送信パワーをゼロにする。
【００５０】
式（１６）により規定されるフィードバック情報は、協調セルであるセル２の干渉の下、サービングセルであるセル１からの信号受信成分（Ｓ１）と協調セルであるセル２からの信号受信成分（Ｓ２）との比として取得できる。
【００５１】
式（１５）、（１６）で規定されるフィードバック情報により、無線基地局装置ｅＮＢは、式（３）、（４）で表されるＳＩＮＲを算出できる。例えば、ＣＳが適用される場合のセル１の受信レベルに関するＳＩＮＲは、式（３）、（１５）から、式（１７）のように算出される。一方、ＣＢが適用される場合のセル１の受信レベルに関するＳＩＮＲは、式（４）、（１５）、（１６）から、式（１８）のように算出される。なお、ＣｏＭＰ送信が適用されない場合、セル１の受信レベルに関するＳＩＮＲは、式（１９）のように算出される。各セルの送信ウェイトを表すｗ１、ｗ２は、無線基地局装置において決定されるものであり、無線基地局装置にとって既知である。
【数１７】
2013051510.tif 000019
【数１８】
2013051510.tif 000020
【数１９】
2013051510.tif 000021
【００５２】
このように、式（１５）、（１６）で規定されるフィードバック情報を用いることにより、ＣｏＭＰ送信（ＣＳ／ＣＢ）が適用される場合においても、無線基地局装置ｅＮＢで適切なＳＩＮＲを算出することが可能となる。本態様に係るフィードバック方法では、信号受信成分の比により規定されるフィードバック情報（式（１６））を用いるため、フィードバック情報の送信に係るビット数を小さくできる。
【００５３】
ユーザ端末ＵＥは、無線基地局装置ｅＮＢから通知される情報（例えば、ＣＳＩ−ＲＳ等の参照信号の多重位置や電力情報）に基づいてＣｏＭＰ送信用のフィードバック情報を計算できる。例えば、ユーザ端末ＵＥは、無線基地局装置ｅＮＢから、セル１の信号受信成分（Ｓ１）とセル２の信号受信成分（Ｓ２）との比を計算するように通知されることで、式（１６）に示す態様でＳ１とＳ２との比（信号電力比）を計算できる。
【００５４】
なお、セル２の受信レベルに関するＳＩＮＲもセル１のＳＩＮＲと同様に算出できる。また、本態様に係るフィードバック方法において、式を用いて表現されるフィードバック情報（ＣＱＩ）やＳＩＮＲなどは、各式の表記に限定されず、式変換等により実質的に等価なものをすべて含む。
【００５５】
（第４の態様）
第４の態様に係るフィードバック方法では、ＣｏＭＰ送信を行うセル間の干渉を除去することなくサービングセル（図３に示すセル１）のＣＱＩをフィードバックする。本態様に係るフィードバック方法において、フィードバック情報は下記式（２０）、（２１）で定義される。式（２０）、（２１）のフィードバック情報は、ＣｏＭＰにおける協調セル（図３に示すセル２）の干渉の下で取得される。
【数２０】
2013051510.tif 000022
【数２１】
2013051510.tif 000023
【００５６】
式（２０）により規定されるフィードバック情報は、ＬＴＥシステムで規定されるフィードバック情報と同じである（式（１）参照）。
【００５７】
式（２１）により規定されるフィードバック情報は、協調セルであるセル２の干渉の下、サービングセルであるセル１からの受信信号成分（Ｓ１）と協調セルであるセル２からの受信信号成分（Ｓ２）との比として取得できる。
【００５８】
式（２０）、（２１）で規定されるフィードバック情報により、無線基地局装置ｅＮＢは、式（３）、（４）で表されるＳＩＮＲを算出できる。例えば、ＣＳが適用される場合のセル１の受信レベルに関するＳＩＮＲは、式（３）、（２０）、（２１）から、式（２２）のように算出される。一方、ＣＢが適用される場合のセル１の受信レベルに関するＳＩＮＲは、式（４）、（２０）、（２１）から、式（２３）のように算出される。なお、ＣｏＭＰ送信が適用されない場合、セル１の受信レベルに関するＳＩＮＲは、式（２４）のように算出される。各セルの送信ウェイトを表すｗ１、ｗ２は、無線基地局装置ｅＮＢにおいて決定されるものであり、無線基地局装置ｅＮＢにとって既知である。
【数２２】
2013051510.tif 000024
【数２３】
2013051510.tif 000025
【数２４】
2013051510.tif 000026
【００５９】
このように、式（２０）、（２１）で規定されるフィードバック情報を用いることにより、ＣｏＭＰ送信（ＣＳ／ＣＢ）が適用される場合においても、無線基地局装置ｅＮＢで適切なＳＩＮＲを算出できる。本態様に係るフィードバック方法では、ＬＴＥシステムで規定されるフィードバック情報と共通する情報（式（２０））を用いるため、ＣＱＩ測定において必要となるＬＴＥシステムからの変更点を小さく抑えつつ、適切なＳＩＮＲを算出できる。また、信号受信成分の比により規定されるフィードバック情報（式（２１））を用いるため、フィードバック情報の送信に係るビット数を小さくできる。
【００６０】
ユーザ端末ＵＥは、無線基地局装置ｅＮＢから通知される情報（例えば、ＣＳＩ−ＲＳ等の参照信号の多重位置や電力情報）に基づいてＣｏＭＰ送信用のフィードバック情報を計算できる。例えば、ユーザ端末ＵＥは、無線基地局装置ｅＮＢから、セル１の信号受信成分（Ｓ１）とセル２の信号受信成分（Ｓ２）との比を計算するように通知されることで、式（２１）に示す態様でＳ１とＳ２との比（信号電力比）を計算できる。
【００６１】
なお、セル２の受信レベルに関するＳＩＮＲもセル１のＳＩＮＲと同様に算出できる。また、本態様に係るフィードバック方法において、式を用いて表現されるフィードバック情報（ＣＱＩ）やＳＩＮＲなどは、各式の表記に限定されず、式変換等により実質的に等価なものをすべて含む。
【００６２】
次に、ユーザ端末ＵＥにおいて生成される上述のＣＱＩを、無線基地局装置ｅＮＢに通知する方法について説明する。ＬＴＥシステムにおいて、上りリンク信号は、図６に示すような無線リソースにマッピングされてユーザ端末ＵＥから無線基地局装置ｅＮＢに送信される。例えば、上りユーザデータは、上りリンク共有チャネル（ＰＵＳＣＨ：Physical  Uplink  Shared  Channel）を用いて送信される。また、ＣＱＩを含む上りリンク制御情報（ＵＣＩ：Uplink  Control  Information）は、上りユーザデータと共に送信する場合はＰＵＳＣＨを用いて、単独で送信する場合は上りリンク制御チャネル（ＰＵＣＣＨ：Physical  Uplink  Control  Channel）を用いて送信される。
【００６３】
ところで、図６に示すように、ＰＵＣＣＨの無線リソースは所定の周波数帯域に限られており、ＰＵＣＣＨを用いて送信可能なデータ量は限られている。そこで、上記第１〜第４の態様に係るフィードバック方法におけるフィードバック情報（ＣＱＩ）は、ＰＵＳＣＨで送信することができる。この場合、例えば、第１〜第４の態様に係るフィードバック方法において規定される２種類のフィードバック情報のいずれか一方又は双方を、ＲＲＣシグナリング等の上位制御信号（ハイヤーレイヤシグナリング）で通知される上位制御情報に基づいて送信しても良い。例えば、第１の態様に係るフィードバック方法では、通信への影響が大きいと考えられるサービングセルのフィードバック情報ＦＢＡを定期的に送信し、協調セルのフィードバック情報ＦＢＢについては上位制御情報で指示された場合にのみ送信するようにしても良い。他の態様においても同様である。このようにすることで、通信品質を保ちつつ、無線リソースを有効活用できる。
【００６４】
また、この場合、２種類のフィードバック情報は、同一又は複数のサブフレームを用いて一括で送信しても良いし、別個に送信しても良い。さらに、２種類のフィードバック情報の送信周期は同じでも良いし、異なっていても良い。例えば、第１の態様に係るフィードバック方法では、通信への影響が大きいと考えられるサービングセルのフィードバック情報ＦＢＡの送信周期を短く、協調セルのフィードバック情報ＦＢＢの送信周期を長くしても良い。他の態様においても同様である。この場合も同様に、通信品質を保ちつつ、無線リソースを有効活用できる。
【００６５】
さらに、第１〜第４の態様に係るフィードバック方法におけるフィードバック情報（ＣＱＩ）は、ＰＵＣＣＨで送信しても良い。この場合、図７Ａに示すように、２種類のフィードバック情報（ＦＢｘ、ＦＢｙ）を同一のサブフレームで送信することができる。また、図７Ｂに示すように、２種類のフィードバック情報（ＦＢｘ、ＦＢｙ）を異なるサブフレームで送信しても良い。２種類のフィードバック情報を異なるサブフレームで送信する場合、その送信周期は同じでも良いし、異なっていても良い。例えば、第１の態様に係るフィードバック方法では、通信への影響が大きいと考えられるサービングセルのフィードバック情報ＦＢＡの送信周期を短く、協調セルのフィードバック情報ＦＢＢの送信周期を長くしても良い。他の態様においても同様である。このようにすることで、通信品質を保ちつつ、無線リソースを有効活用できる。
【００６６】
なお、上述した第１〜第４の態様に係るフィードバック方法は、ＬＴＥシステムにおけるフィードバック方法と選択的に用いることができる。すなわち、ＣｏＭＰ送信の適用の有無に応じて、ＬＴＥシステムにおけるフィードバック方法と第１〜第４の態様に係るフィードバック方法とを切り替えて用いることができる。この切り替えは、例えば、上位制御信号で通知される上位制御情報に基づいて行うことができる。このように、ＣｏＭＰ送信が適用されない場合にはＬＴＥシステムにおけるフィードバック方法によるフィードバック情報を用い、ＣｏＭＰ送信が適用される場合には第１〜第４の態様に係るフィードバック方法におけるフィードバック情報を用いることで、各種制御を適切に行うことができる。
【００６７】
以下、本発明の実施の形態について詳細に説明する。図８は、本実施の形態に係る無線通信システムのシステム構成の説明図である。なお、図８に示す無線通信システムは、例えば、ＬＴＥシステム或いは、ＳＵＰＥＲ  ３Ｇが包含されるシステムである。この無線通信システムでは、ＬＴＥシステムのシステム帯域を一単位とする複数の基本周波数ブロックを一体としたキャリアアグリゲーションが用いられている。また、この無線通信システムは、ＩＭＴ−Ａｄｖａｎｃｅｄと呼ばれても良く、４Ｇと呼ばれても良い。
【００６８】
図８に示すように、無線通信システム１は、無線基地局装置２０Ａ、２０Ｂと、この無線基地局装置２０Ａ、２０Ｂと通信する複数の第１、第２のユーザ端末１０Ａ、１０Ｂとを含んで構成されている。無線基地局装置２０Ａ、２０Ｂは、上位局装置３０と接続され、この上位局装置３０は、コアネットワーク４０と接続される。また、無線基地局装置２０Ａ、２０Ｂは、有線接続又は無線接続により相互に接続されている。第１、第２のユーザ端末１０Ａ、１０Ｂは、セル１、２において無線基地局装置２０Ａ、２０Ｂと通信を行うことができる。なお、上位局装置３０には、例えば、アクセスゲートウェイ装置、無線ネットワークコントローラ（ＲＮＣ）、モビリティマネジメントエンティティ（ＭＭＥ）などが含まれるが、これに限定されない。
【００６９】
第１、第２のユーザ端末１０Ａ、１０Ｂは、ＬＴＥ端末及びＬＴＥ−Ａ端末を含むが、以下においては、特段の断りがない限り第１、第２のユーザ端末１０Ａ、１０Ｂとして説明を進める。また、説明の便宜上、無線基地局装置２０Ａ、２０Ｂと移動端末装置である第１、第２のユーザ端末１０Ａ、１０Ｂが無線通信するものとして説明するが、第１、第２のユーザ端末１０Ａ、１０Ｂは、より一般的には固定端末装置も含むユーザ装置でよい。
【００７０】
無線通信システム１においては、無線アクセス方式として、下りリンクについてはＯＦＤＭＡ（直交周波数分割多元接続）が、上りリンクについてはＳＣ−ＦＤＭＡ（シングルキャリア−周波数分割多元接続）が適用されるが、無線アクセス方式はこれに限定されない。ＯＦＤＭＡは、周波数帯域を複数の狭い周波数帯域（サブキャリア）に分割し、各サブキャリアにデータをマッピングして通信を行うマルチキャリア伝送方式である。ＳＣ−ＦＤＭＡは、システム帯域を端末毎に１つ又は連続したリソースブロックからなる帯域に分割し、複数の端末が互いに異なる帯域を用いることで、端末間の干渉を低減するシングルキャリア伝送方式である。
【００７１】
ここで、通信チャネルについて説明する。下りリンクの通信チャネルは、第１、第２のユーザ端末１０Ａ、１０Ｂで共有される下りデータチャネルとしてのＰＤＳＣＨ（Physical  Downlink  Shared  Channel）と、下りＬ１／Ｌ２制御チャネル（ＰＤＣＣＨ、ＰＣＦＩＣＨ、ＰＨＩＣＨ）とを有する。ＰＤＳＣＨにより、送信データ及び上位制御情報が伝送される。ＰＤＣＣＨ（Physical  Downlink  Control  Channel）により、ＰＤＳＣＨおよびＰＵＳＣＨのスケジューリング情報等が伝送される。ＰＣＦＩＣＨ（Physical  Control  Format  Indicator  Channel）により、ＰＤＣＣＨに用いるＯＦＤＭシンボル数が伝送される。ＰＨＩＣＨ（Physical  Hybrid−ARQ  Indicator  Channel）により、ＰＵＳＣＨに対するＨＡＲＱのＡＣＫ/ＮＡＣＫが伝送される。
【００７２】
上りリンクの通信チャネルは、各ユーザ端末１０Ａ、１０Ｂで共有される上りデータチャネルとしてのＰＵＳＣＨと、上りリンクの制御チャネルであるＰＵＣＣＨとを有する。このＰＵＳＣＨにより、送信データや上位制御情報が伝送される。また、ＰＵＣＣＨにより、下りリンクの無線品質情報（ＣＱＩ：Channel  Quality  Indicator）、ＡＣＫ／ＮＡＣＫなどが伝送される。
【００７３】
図９を参照しながら、本実施の形態に係る無線基地局装置の全体構成について説明する。なお、無線基地局装置２０Ａ、２０Ｂは、同様な構成であるため、無線基地局装置２０として説明する。また、第１、第２のユーザ端末１０Ａ、１０Ｂも、同様な構成であるため、ユーザ端末１０として説明する。無線基地局装置２０は、送受信アンテナ２０１ａ、２０１ｂと、アンプ部２０２ａ、２０２ｂと、送受信部２０３ａ、２０３ｂと、ベースバンド信号処理部２０４と、呼処理部２０５と、伝送路インターフェース２０６とを備えている。下りリンクにより無線基地局装置２０からユーザ端末１０に送信される送信データは、上位局装置３０から伝送路インターフェース２０６を介してベースバンド信号処理部２０４に入力される。
【００７４】
ベースバンド信号処理部２０４において、下りデータチャネルの信号は、ＰＤＣＰレイヤの処理、送信データの分割・結合、ＲＬＣ（Radio  Link  Control）再送制御の送信処理などのＲＬＣレイヤの送信処理、ＭＡＣ（Medium  Access  Control）再送制御、例えば、ＨＡＲＱの送信処理、スケジューリング、伝送フォーマット選択、チャネル符号化、逆高速フーリエ変換（ＩＦＦＴ）処理、プリコーディング処理が行われる。また、下りリンク制御チャネルである物理下りリンク制御チャネルの信号に関しても、チャネル符号化や逆高速フーリエ変換等の送信処理が行われる。
【００７５】
また、ベースバンド信号処理部２０４は、報知チャネルにより、同一セルに接続するユーザ端末１０に対して、各ユーザ端末１０が無線基地局装置２０と無線通信するための制御情報を通知する。当該セルにおける通信のための情報には、例えば、上りリンク又は下りリンクにおけるシステム帯域幅や、ＰＲＡＣＨ（Physical  Random  Access  Channel）におけるランダムアクセスプリアンブルの信号を生成するためのルート系列の識別情報（Root  Sequence  Index）などが含まれる。
【００７６】
送受信部２０３ａ、２０３ｂは、ベースバンド信号処理部２０４から出力されたベースバンド信号を無線周波数帯に変換する。アンプ部２０２ａ、２０２ｂは、周波数変換された無線周波数信号を増幅して送受信アンテナ２０１ａ、２０１ｂへ出力する。
【００７７】
一方、上りリンクによりユーザ端末１０から無線基地局装置２０に送信される信号については、送受信アンテナ２０１で受信された無線周波数信号がアンプ部２０２ａ、２０２ｂで増幅され、送受信部２０３ａ、２０３ｂで周波数変換されてベースバンド信号に変換され、ベースバンド信号処理部２０４に入力される。
【００７８】
ベースバンド信号処理部２０４は、上りリンクで受信したベースバンド信号に含まれる送信データに対して、ＦＦＴ処理、ＩＤＦＴ処理、誤り訂正復号、ＭＡＣ再送制御の受信処理、ＲＬＣレイヤ、ＰＤＣＰレイヤの受信処理を行う。復号された信号は伝送路インターフェース２０６を介して上位局装置３０に転送される。
【００７９】
呼処理部２０５は、通信チャネルの設定や解放等の呼処理や、無線基地局装置２０の状態管理や、無線リソースの管理を行う。
【００８０】
次に、図１０を参照しながら、本実施の形態に係るユーザ端末の全体構成について説明する。ＬＴＥ端末もＬＴＥ−Ａ端末もハードウエアの主要部構成は同じであるので、区別せずに説明する。ユーザ端末１０は、送受信アンテナ１０１と、アンプ部１０２と、送受信部１０３と、ベースバンド信号処理部１０４と、アプリケーション部１０５とを備えている。
【００８１】
下りリンクのデータについては、送受信アンテナ１０１で受信された無線周波数信号がアンプ部１０２で増幅され、送受信部１０３で周波数変換されてベースバンド信号に変換される。このベースバンド信号は、ベースバンド信号処理部１０４でＦＦＴ処理や、誤り訂正復号、再送制御の受信処理等がなされる。この下りリンクのデータの内、下りリンクの送信データは、アプリケーション部１０５に転送される。アプリケーション部１０５は、物理レイヤやＭＡＣレイヤより上位のレイヤに関する処理等を行う。また、下りリンクのデータの内、報知情報も、アプリケーション部１０５に転送される。
【００８２】
一方、上りリンクの送信データは、アプリケーション部１０５からベースバンド信号処理部１０４に入力される。ベースバンド信号処理部１０４においては、マッピング処理、再送制御（ＨＡＲＱ）の送信処理や、チャネル符号化、ＤＦＴ処理、ＩＦＦＴ処理を行う。送受信部１０３は、ベースバンド信号処理部１０４から出力されたベースバンド信号を無線周波数帯に変換する。その後、アンプ部１０２は、周波数変換された無線周波数信号を増幅して送受信アンテナ１０１より送信する。
【００８３】
図１１を参照して、無線基地局装置の機能ブロックについて説明する。図１１に示す無線基地局装置は、集中制御型の無線基地局構成を有する。集中制御の場合、ある無線基地局装置（集中無線基地局装置、図１１においてセル１）で一括してスケジューリングなどの無線リソース割り当て制御を行い、配下の無線基地局装置（遠隔無線装置、図１１においてセル２）は無線基地局装置の無線リソース割り当て結果に従う。この場合、フィードバック情報（ＣＱＩ）は、無線基地局装置のユーザスケジューリング制御部９２２において、複数セル間の無線リソース割り当て等に必要な情報として使われる。
【００８４】
なお、図１１の各機能ブロックは、主に図９に示すベースバンド処理部２０４の処理内容に関するものである。また、図１１の機能ブロック図は、本発明を説明するために簡略化したものであり、ベースバンド処理部２０４において通常備える構成を備えるものとする。
【００８５】
集中無線基地局装置（セル１）側の送信部は、下り制御情報生成部９０１と、下り制御情報符号化・変調部９０２と、下り参照信号生成部９０３と、下り送信データ生成部９０４と、上位制御情報生成部９０５と、下り送信データ符号化・変調部９０６とを備えている。また、集中無線基地局装置（セル１）側の送信部は、マッピング部９０７と、プリコーディング乗算部９０８と、プリコーディングウェイト生成部９０９と、下りチャネル多重部９１０と、ＩＦＦＴ部９１１（９１１ａ、９１１ｂ）と、ＣＰ付加部９１２（９１２ａ、９１２ｂ）と、送信アンプ９１３（９１３ａ、９１３ｂ）と、送信アンテナ９１４（９１４ａ、９１４ｂ）と、制御チャネル信号復調部９２０と、受信品質測定部９２１と、ユーザスケジューリング制御部９２２とを備えている。なお、送信アンプ９１３及び送信アンテナ９１４は、それぞれ図９に示すアンプ部２０２及び送受信アンテナ２０１に対応する。
【００８６】
一方、配下セルの遠隔無線装置（セル２）側の送信部は、下り制御情報生成部９３１と、下り制御情報符号化・変調部９３２と、下り参照信号生成部９３３と、下り送信データ生成部９３４と、下り送信データ符号化・変調部９３６とを備えている。また、配下セルの遠隔無線装置（セル２）側の送信部は、マッピング部９３７と、プリコーディング乗算部９３８と、プリコーディングウェイト生成部９３９と、下りチャネル多重部９４０と、ＩＦＦＴ部９４１ａ、９４１ｂと、ＣＰ付加部９４２ａ、９４２ｂと、送信アンプ９４３ａ、９４３ｂと、送信アンテナ９４４ａ、９４４ｂとを備えている。なお、集中無線基地局装置と配下セルの遠隔無線装置とは、例えば、光ファイバで接続されている。
【００８７】
下り制御情報生成部９０１、９３１は、それぞれユーザスケジューリング制御部９２２の制御により下りリンクの制御情報を生成し、その下り制御情報を下り制御情報符号化・変調部９０２、９３２にそれぞれ出力する。下り制御情報符号化・変調部９０２、９３２は、下り制御情報に対してチャネル符号化及びデータ変調を行い、マッピング部９０７、９３７にそれぞれ出力する。
【００８８】
下り参照信号生成部９０３、９３３は、下り参照信号（ＣＲＳ、ＣＳＩ−ＲＳ、ＤＭ−ＲＳ）を生成し、その下り参照信号をマッピング部９０７、９３７にそれぞれ出力する。下り送信データ生成部９０４、９３４は、下りリンクの送信データを生成し、その下り送信データを下り送信データ符号化・変調部９０６、９３６にそれぞれ出力する。
【００８９】
上位制御情報生成部９０５は、ハイヤーレイヤシグナリング（例えば、ＲＲＣシグナリング）により送受信される上位制御情報を生成し、生成した上位制御情報を下り送信データ符号化・変調部９０６に出力する。例えば、上位制御情報生成部９０５は、ユーザ端末１０におけるフィードバック方法の切替に必要なＣｏＭＰ送信の有無、ユーザ端末１０からのフィードバック情報の送信タイミング（周期）等を示す上位制御情報を生成する。
【００９０】
下り送信データ符号化・変調部９０６は、下り送信データ及び上位制御情報に対してチャネル符号化及びデータ変調を行い、マッピング部９０７に出力する。下り送信データ符号化・変調部９３６は、下り送信データに対してチャネル符号化及びデータ変調を行い、マッピング部９３７に出力する。
【００９１】
マッピング部９０７、９３７は、下り制御情報、下り参照信号、下り送信データ及び上位制御情報をマッピングして、プリコーディング乗算部９０８、９３８にそれぞれ出力する。また、マッピング部９０７、９３７は、ＣＱＩ測定において他セルの干渉を除去する必要がある場合には、対象リソースにミューティングリソースを設定する。
【００９２】
例えば、第１の態様に係るフィードバック方法が適用される場合であって、ＣｏＭＰ送信が行われる場合、マッピング部９０７は、自セル（セル１）のリソースブロックにおいて、他セル（セル２）のＣＳＩ−ＲＳに対応するリソースにミューティングリソースを設定し、対象リソースの送信パワーをゼロにする。マッピング部９３７は、自セル（セル２）のリソースブロックにおいて、他セル（セル１）のＣＳＩ−ＲＳに対応するリソースにミューティングリソースを設定し、対象リソースの送信パワーをゼロにする。
【００９３】
また、第２、第３の態様に係るフィードバック方法が適用される場合であって、ＣｏＭＰ送信が行われる場合、マッピング部９３７は、自セル（セル２）のリソースブロックにおいて、他セル（セル１）のＣＳＩ−ＲＳに対応するリソースにミューティングリソースを設定し、対象リソースの送信パワーをゼロにする。
【００９４】
プリコーディングウェイト生成部９０９、９３９は、ユーザ端末１０からフィードバックされるＰＭＩに基づいてプリコーディングウェイトを生成し、プリコーディング乗算部９０８、９３８にそれぞれ出力する。具体的には、プリコーディングウェイト生成部９０９、９３９は、それぞれコードブックを備えており、コードブックからＰＭＩに対応するプリコーディングウェイトを選択する。なお、プリコーディングウェイト生成部９０９、９３９で利用されるＰＭＩは、制御チャネル信号復調部９２０から与えらえる。
【００９５】
プリコーディング乗算部９０８、９３８は、プリコーディングウェイトを送信信号に乗算する。すなわち、プリコーディング乗算部９０８、９３８は、プリコーディングウェイト生成部９０９、９３９から与えられるプリコーディングウェイトに基づいて、送信アンテナ９１４ａ、９１４ｂ、送信アンテナ９４４ａ、９４４ｂ毎に位相シフト及び／又は振幅シフトを行う。プリコーディング乗算部９０８、９３８は、位相シフト及び／又は振幅シフトされた送信信号を下りチャネル多重部９１０、９４０にそれぞれ出力する。
【００９６】
下りチャネル多重部９１０、９４０は、位相シフト及び／又は振幅シフトされた下り制御情報、下り参照信号、上位制御情報及び下り送信データを合成し、送信アンテナ９１４ａ、９１４ｂ、送信アンテナ９４４ａ、９４４ｂ毎の送信信号を生成する。下りチャネル多重部９１０、９４０は、この送信信号をＩＦＦＴ（Inverse  Fast  Fourier  Transform）部９１１ａ、９１１ｂ、ＩＦＦＴ部９４１ａ、９４１ｂにそれぞれ出力する。
【００９７】
ＩＦＦＴ部９１１ａ、９１１ｂ、ＩＦＦＴ部９４１ａ、９４１ｂは、送信信号にＩＦＦＴして、ＩＦＦＴ後の送信信号をＣＰ付加部９１２ａ、９１２ｂ、ＣＰ付加部９４２ａ、９４２ｂに出力する。ＣＰ付加部９１２ａ、９１２ｂ、ＣＰ付加部９４２ａ、９４２ｂは、ＩＦＦＴ後の送信信号にＣＰ（Cyclic  Prefix）を付加して、ＣＰ付加後の送信信号を送信アンプ９１３ａ、９１３ｂ、送信アンプ９４３ａ、９４３ｂにそれぞれ出力する。
【００９８】
送信アンプ９１３ａ、９１３ｂ、送信アンプ９４３ａ、９４３ｂは、ＣＰ付加後の送信信号を増幅する。増幅後の送信信号は、送信アンテナ９１４ａ、９１４ｂ、送信アンテナ９４４ａ、９４４ｂからそれぞれ下りリンクでユーザ端末１０に送出される。
【００９９】
制御チャネル復調部９２０は、ユーザ端末１０からＰＵＣＣＨにより通知される制御チャネル信号を復調して、制御チャネル信号に含まれるＰＭＩをプリコーディングウェイト生成部９０９、９３９に出力し、ＣＱＩを受信品質測定部９２１に出力する。なお、ＣＱＩがＰＵＳＣＨにより通知される場合には、不図示の上りデータチャネル復調部において上り送信データを復調し、上り送信データに含まれるＣＱＩを受信品質測定部９２１に出力する。
【０１００】
受信品質測定部９２１は、制御チャネル復調部９２０（又は、上りデータチャネル復調部）から通知されるＣＱＩに基づいて、上述した第１〜第４の態様における算出方法に従ってＳＩＮＲを算出する。算出されたＳＩＮＲは、ユーザスケジューリング制御部９２２に通知される。ユーザスケジューリング制御部９２２は、ＳＩＮＲに基づいて各セルにおける下り制御情報のスケジューリング制御を行う。また、ＳＩＮＲは、下り制御情報符号化・変調部９０２、９３２、下り送信データ符号化・変調部９０６、９３６における変調方式及び符号化率の決定に用いられる。
【０１０１】
例えば、第１の態様に係るフィードバック方法が適用される場合であって、ＣｏＭＰ送信が行われる場合、受信品質測定部９２１は、式（７）、（８）に従ってＳＩＮＲを算出する。一方、ＣｏＭＰ送信が行われない場合には、式（９）に従ってＳＩＮＲを算出する。同様に、第２の態様に係るフィードバック方法が適用される場合であって、ＣｏＭＰ送信が行われる場合、受信品質測定部９２１は、式（１２）、（１３）に従ってＳＩＮＲを算出する。一方、ＣｏＭＰ送信が行われない場合には、式（１４）に従ってＳＩＮＲを算出する。
【０１０２】
さらに、第３の態様に係るフィードバック方法が適用される場合であって、ＣｏＭＰ送信が行われる場合、受信品質測定部９２１は、式（１７）、（１８）に従ってＳＩＮＲを算出する。一方、ＣｏＭＰ送信が行われない場合には、式（１９）に従ってＳＩＮＲを算出する。第４の態様に係るフィードバック方法が適用される場合であって、ＣｏＭＰ送信が行われる場合、受信品質測定部９２１は、式（２２）、（２３）に従ってＳＩＮＲを算出する。一方、ＣｏＭＰ送信が行われない場合には、式（２４）に従ってＳＩＮＲを算出する。
【０１０３】
図１２を参照して、図１１に示す無線基地局装置とは異なる構成の無線基地局装置の機能ブロックについて説明する。図１２に示す無線基地局装置は、自律分散制御型の無線基地局構成を有する。自律分散制御の場合、複数の無線基地局装置で、それぞれスケジューリングなどの無線リソース割り当て制御が行われる。この場合、フィードバック情報（ＣＱＩ）は、複数の無線基地局装置におけるユーザスケジューリング制御部９２２、９５２において、それぞれの無線リソース割り当て等に必要な情報として使われる。
【０１０４】
なお、図１２の各機能ブロックは、主に図９に示すベースバンド処理部２０４の処理内容に関するものである。また、図１２の機能ブロック図は、本発明を説明するために簡略化したものであり、ベースバンド処理部２０４において通常備える構成を備えるものとする。また、図１２において、図１１と同じ機能ブロックについては図１１と同じ符号を付してその詳細な説明は省略する。
【０１０５】
セル１側の送信部は、下り制御情報生成部９０１と、下り制御情報符号化・変調部９０２と、下り参照信号生成部９０３と、下り送信データ生成部９０４と、上位制御情報生成部９０５と下り送信データ符号化・変調部９０６と、マッピング部９０７と、プリコーディング乗算部９０８と、プリコーディングウェイト生成部９０９と、下りチャネル多重部９１０と、ＩＦＦＴ部９１１ａ、９１１ｂと、ＣＰ付加部９１２ａ、９１２ｂと、送信アンプ９１３ａ、９１３ｂと、送信アンテナ９１４ａ、９１４ｂと、制御チャネル信号復調部９２０と、受信品質測定部９２１と、ユーザスケジューリング制御部９２２と、セル間制御情報送受信部９２３とを備えている。
【０１０６】
セル２側の送信部も、同様に、下り制御情報生成部９３１と、下り制御情報符号化・変調部９３２と、下り参照信号生成部９３３と、下り送信データ生成部９３４と、上位制御情報生成部９３５と、下り送信データ符号化・変調部９３６と、マッピング部９３７と、プリコーディング乗算部９３８と、プリコーディングウェイト生成部９３９と、下りチャネル多重部９４０と、ＩＦＦＴ部９４１ａ、９４１ｂと、ＣＰ付加部９４２ａ、９４２ｂと、送信アンプ９４３ａ、９４３ｂと、送信アンテナ９４４ａ、９４４ｂと、制御チャネル信号復調部９５０と、受信品質測定部９５１と、ユーザスケジューリング制御部９５２と、セル間制御情報送受信部９５３とを備えている。
【０１０７】
セル２側の送信部が有する上位制御情報生成部９３５、制御チャネル信号復調部９５０、受信品質測定部９５１、ユーザスケジューリング制御部９５２の機能は、それぞれ、セル１側の送信部が有する上位制御情報生成部９０５、制御チャネル信号復調部９２０、受信品質測定部９２１、ユーザスケジューリング制御部９２２の機能と同様である。
【０１０８】
すなわち、上位制御情報生成部９３５は、ハイヤーレイヤシグナリング（例えば、ＲＲＣシグナリング）により送受信される上位制御情報を生成し、生成した上位制御情報を下り送信データ符号化・変調部９３６に出力する。下り送信データ符号化・変調部９３６は、下り送信データ及び上位制御情報に対してチャネル符号化及びデータ変調を行い、マッピング部９３７に出力する。
【０１０９】
また、制御チャネル信号復調部９５０は、ユーザ端末１０からＰＵＣＣＨにより通知される制御チャネル信号を復調して、制御チャネル信号に含まれるＰＭＩをプリコーディングウェイト生成部９３９に出力し、ＣＱＩを受信品質測定部９５１に出力する。なお、ＣＱＩがＰＵＳＣＨにより通知される場合には、不図示の上りデータチャネル復調部において上り送信データを復調し、上り送信データに含まれるＣＱＩを受信品質測定部９５１に出力する。
【０１１０】
また、受信品質測定部９５１は、制御チャネル復調部９５０（又は、上りデータチャネル復調部）から通知されるＣＱＩに基づいてＳＩＮＲを算出する。算出されたＳＩＮＲは、ユーザスケジューリング制御部９５２に通知される。ユーザスケジューリング制御部９５２は、ＳＩＮＲに基づいて対象セルにおける下り制御情報のスケジューリング制御を行う。また、受信品質測定部９５１において生成されたＳＩＮＲは、下り制御情報符号化・変調部９３２、下り送信データ符号化・変調部９３６における変調方式及び符号化率の決定に用いられる。
【０１１１】
セル間制御情報送受信部９２３、９５３は、Ｘ２インターフェースで接続されており、ユーザスケジューリング制御部９２２、９５２から出力されるタイミング情報やスケジューリング情報などを互いに送受信する。これにより、セル間の協調が可能になっている。
【０１１２】
図１３を参照して、ユーザ端末の機能ブロックについて説明する。なお、図１３の各機能ブロックは、主に図１０に示すベースバンド処理部１０４の処理内容に関するものである。また、図１３に示す機能ブロックは、本発明を説明するために簡略化したものであり、ベースバンド処理部において通常備える構成は備えるものとする。
【０１１３】
ユーザ端末の受信部は、ＣＰ除去部１１０１と、ＦＦＴ部１１０２と、下りチャネル分離部１１０３と、下り制御情報受信部１１０４と、下り送信データ受信部１１０５と、チャネル推定部１１０６と、第１のＣＱＩ測定部１１０７と、第２のＣＱＩ測定部１１０８と、ＰＭＩ選択部１１０９とを備えている。第１のＣＱＩ測定部１１０７と、第２のＣＱＩ測定部１１０８とは、チャネル状態情報生成部として機能する。
【０１１４】
無線基地局装置ｅＮＢから送出された送信信号は、図１０に示す送受信アンテナ１０１により受信され、ＣＰ除去部１１０１に出力される。ＣＰ除去部１１０１は、受信信号からＣＰを除去し、ＦＦＴ部１１０２に出力する。ＦＦＴ部１１０２は、ＣＰ除去後の信号を高速フーリエ変換（ＦＦＴ：Fast  Fourier  Transform）し、時間領域の信号から周波数領域の信号に変換する。ＦＦＴ部１１０２は、周波数領域の信号に変換された信号を下りチャネル分離部１１０３に出力する。下りチャネル分離部１１０３は、下りチャネル信号を、下り制御情報、下り送信データ、上位制御情報、下り参照信号に分離する。下りチャネル分離部１１０３は、下り制御情報を下り制御情報受信部１１０４に出力し、下り送信データ及び上位制御情報を下り送信データ受信部１１０５に出力し、下り参照信号をチャネル推定部１１０６に出力する。
【０１１５】
下り制御情報受信部１１０４は、下り制御情報を復調し、復調した制御情報を下り送信データ受信部１１０５に出力する。下り送信データ受信部１１０５は、制御情報を用いて下り送信データを復調する。また、下り送信データ受信部１１０５は、下り送信データに含まれる上位制御情報を復調して第１のＣＱＩ測定部１１０７及び第２のＣＱＩ測定部１１０８に通知する。チャネル推定部１１０６は、下り参照信号を用いてチャネル状態を推定し、推定したチャネル状態を第１のＣＱＩ測定部１１０７、第２のＣＱＩ測定部１１０８及びＰＭＩ選択部１１０９に出力する。
【０１１６】
第１のＣＱＩ測定部１１０７は、下り送信データ受信部１１０５から通知される上位制御情報に基づいて、チャネル推定部１１０６から通知されるチャネル状態からＣＱＩを測定する。具体的には、上位制御情報によってＣｏＭＰ送信が適用されないことが通知された場合に、ＬＴＥシステムで規定される態様でＣＱＩを測定する。第１のＣＱＩ測定部１１０７で測定されたＣＱＩは、フィードバック情報として無線基地局装置２０に通知される。
【０１１７】
第２のＣＱＩ測定部１１０８は、下り送信データ受信部１１０５から通知される上位制御情報に基づいて、チャネル推定部１１０６から通知されるチャネル状態からＣＱＩを測定する。具体的には、上位制御情報によってＣｏＭＰ送信が適用されることが通知された場合に、上述した第１〜第４の態様でＣＱＩを測定する。
【０１１８】
例えば、第１の態様に係るフィードバック方法が適用される場合、第２のＣＱＩ測定部１１０８は、式（５）、（６）に従ってＣＱＩを算出する。同様に、第２の態様に係るフィードバック方法が適用される場合、第２のＣＱＩ測定部１１０８は、式（１０）、（１１）に従ってＣＱＩを算出する。さらに、第３の態様に係るフィードバック方法が適用される場合、第２のＣＱＩ測定部１１０８は、式（１５）、（１６）に従ってＣＱＩを算出する。第４の態様に係るフィードバック方法が適用される場合、第２のＣＱＩ測定部１１０８は、式（２０）、（２１）に従ってＣＱＩを算出する。
【０１１９】
第２のＣＱＩ測定部１１０８で測定されたＣＱＩは、フィードバック情報として無線基地局装置２０に通知される。なお、第２のＣＱＩ測定部１１０８で測定されたＣＱＩは、上りデータチャネル（ＰＵＳＣＨ）又は上り制御チャネル（ＰＵＣＣＨ）により、所定の周期又は上位制御情報によって通知されるタイミング（又は周期）で送信される。
【０１２０】
ＰＭＩ選択部１１０９は、チャネル推定部１１０６から通知されたチャネル状態からコードブックを用いてＰＭＩを選択する。ＰＭＩ選択部１１０９で選択されたＰＭＩは、フィードバック情報として無線基地局装置２０に通知される。
【０１２１】
上記構成の無線通信システムにおいては、まず、無線基地局装置２０が参照信号（ＣＳＩ−ＲＳ）を送信する。ＣｏＭＰ送信が適用される場合には、無線基地局装置２０は、適宜ミューティングを行い、ＣＱＩ測定に適した態様でＣＳＩ−ＲＳを送信する。具体的には、上述した第１〜第３の態様が適用される場合、無線基地局装置２０はミューティングを行う。
【０１２２】
次に、ユーザ端末１０は、上位制御情報による通知に基づいて、ユーザ端末１０の第１のＣＱＩ測定部１１０７又は第２のＣＱＩ測定部１１０８でＣＱＩを測定する。すなわち、ＣｏＭＰ送信が適用されないことが通知された場合には第１のＣＱＩ測定部１１０７においてＬＴＥシステムで規定される態様でＣＱＩを測定し、ＣｏＭＰ送信が適用されることが通知された場合には第２のＣＱＩ測定部１１０８において上述した第１〜第４の態様でＣＱＩを測定する。
【０１２３】
その後、ユーザ端末１０は、測定したＣＱＩを無線基地局装置２０に通知する。ＣＱＩは、上りデータチャネル（ＰＵＳＣＨ）又は上り制御チャネル（ＰＵＣＣＨ）により、所定の周期、或いは、上位制御情報によって通知されるタイミング（又は周期）で送信される。無線基地局装置２０は、ユーザ端末１０から通知されるＣＱＩに基づいてＳＩＮＲを算出し、ＳＩＮＲに基づいてデータ送信の変調方式及び符号化率を決定すると共に、スケジューリング制御を行う。
【０１２４】
以上のように、第１〜第３の態様に係るフィードバック方法においては、ユーザ端末１０において、複数の無線基地局装置２０が協調して送信を行う場合にサービングセル及び／又は協調セルからの干渉が除去されたチャネル状態情報を含む複数のチャネル状態情報が生成されることから、ＣｏＭＰ送信時における受信品質を算出するために必要な情報をチャネル状態情報に含ませることができ、ＣｏＭＰ送信時に適切な受信品質を算出可能なチャネル状態情報をフィードバックできる。
【０１２５】
また、第４の態様に係るフィードバック方法においては、ユーザ端末１０において、複数の無線基地局装置２０が協調して送信を行う場合にサービングセルからの信号受信成分と協調セルからの信号受信成分との比で表されるチャネル状態情報を含む複数のチャネル状態情報が生成されることから、ＣｏＭＰ送信時における受信品質を算出するために必要な情報をチャネル状態情報に含ませることができ、ＣｏＭＰ送信時に適切な受信品質を算出可能なチャネル状態情報をフィードバックできる。
【０１２６】
なお、本発明は明細書の記載に限定されず、種々変更して実施することができる。例えば、本明細書では、ミューティングを利用して他セルの干渉を除去する態様について例示しているが、他の方法で干渉を除去しても良い。また、例えば、本明細書に示す構成要素の接続関係、機能などは適宜変更して実施することが可能である。また、本明細書に示す構成は、適宜組み合わせて実施することが可能である。その他、本発明は、本発明の範囲を逸脱しないで適宜変更して実施することができる。
【０１２７】
本出願は、２０１１年１０月３日出願の特願２０１１−２１９５７１に基づく。この内容は、全てここに含めておく。
【図１】
2013051510.tif 000037
【図２】
2013051510.tif 000038
【図３】
2013051510.tif 000039
【図４】
2013051510.tif 000040
【図５】
2013051510.tif 000041
【図６】
2013051510.tif 000042
【図７】
2013051510.tif 000043
【図８】
2013051510.tif 000044
【図９】
2013051510.tif 000045
【図１０】
2013051510.tif 000046
【図１１】
2013051510.tif 000047
【図１２】
2013051510.tif 000048
【図１３】
2013051510.tif 000049
【国際調査報告】
2013051510.tif 000050
2013051510.tif 000051
2013051510.tif 000052
2013051510.tif 000053
2013051510.tif 000054
2013051510.tif 000055
2013051510.tif 000056